(57)【要約】【課題】シロッコファンのファンケーシングが第１熱交換器に接触するおそれがなく、且つ筐体の前後方向サイズを大きくすることもなく、第２熱交換器に吸い込まれる空気量を増大させる。【解決手段】シロッコファン３０は、ファンモータ３１と、ファンモータ３１の回転軸３１ａに固着された羽根車３２と、羽根車３２の側面に吸込口３３ａが形成され外周面３３ｃの下面に吹出筒３３ｂが形成されたファンケーシング３３とを有する。ファンケーシングは、外周面の１熱交換器３０Ａと対面する側に、第１熱交換器２０Ａに平行に平面部３３ｃ１が形成されている。【選択図】図１
2019203629.tif 000002
【特許請求の範囲】
【請求項１】
前面板、背面板、天面板、空気吸込口及び空気吹出口を有する底面板、左側面板、及び右側面板を有する箱型の筐体と、前記天面板の下面の前記前面板の側に取り付けられる第１熱交換器と、前記天面板の下面の前記背面板の側に取り付けられる第２熱交換器と、吹出筒を有し、前記第１熱交換器と前記第２熱交換器の間に配置され前記空気吸込口から前記第１熱交換器及び前記第２熱交換器を経由して吸い込んだ空気を前記吹出筒から吹き出すシロッコファンを有するファンユニットと、前記第１熱交換器及び前記第２熱交換器で生じた露を集めるドレンパンと、前記シロッコファンの前記吹出筒から吹き出される空気を前記前面板の前方の下方にガイドするよう前記吹出筒と前記空気吹出口をつなぐ吹出ガイド筒とを備え、
前記シロッコファンは、ファンモータと、該ファンモータの回転軸に固着された羽根車と、該羽根車を囲み外周面の下面に前記吹出筒が形成されたファンケーシングとを有し、
前記ファンケーシングは、前記外周面の前記第１熱交換器と対面する側に、平面部が形成されていることを特徴とする天井埋込型空気調和機。
【請求項２】
請求項１に記載の天井埋込型空気調和機において、
前記第１熱交換器が前記天面板と前記底面板に直交する姿勢で配置され、前記ファンケーシングの前記平面部は、前記天面板に直交するように形成されていることを特徴とする天井埋込型空気調和機。
【発明の詳細な説明】
【技術分野】
【０００１】
本発明は、天井埋込型空気調和機に関するものである。
【背景技術】
【０００２】
空調室内の天井裏に設置される天井埋込型空気調和機（室内機）は、屋外に設置される室外機と冷媒配管で接続されて冷媒回路を形成している。
【０００３】
天井埋込型空気調和機は、箱型の筐体とその筐体の底面を覆う化粧パネルで囲まれた内部に、シロッコファンと熱交換器とドレンパンが配置される。シロッコファンはその吹出筒が化粧パネルの空気吹出口につながるように配置される。熱交換器はシロッコファンと化粧パネルの空気吸込口の間に配置される。そして、シロッコファンが回転することにより、化粧パネルの空気吸込口から吸い込まれた空気が、熱交換器で冷媒と熱交換されてシロッコファンに吸い込まれ、化粧パネルの空気吹出口から吹き出される（特許文献１）。
【０００４】
このように、熱交換される空気は空気吸込口から熱交換器とシロッコファンを経由して空気吹出口から吹き出されるので、熱交換容量を増大させるために熱交換器をさらに追加して２個とし、２個の熱交換器それぞれに空気吸込口を設けると、化粧パネルが大型化する。
【０００５】
そこで、この問題を解決する天井埋込型空気調和機として図２に示す構成のものが考えられる。この天井埋込型空気調和機１００Ａは、筐体１０の天面板１３の下面１３ａに第１熱交換器２０Ａと第２熱交換器２０Ｂを配置し、両熱交換器２０Ａ，２０Ｂ間にシロッコファン３０を配置し、そのシロッコファン３０のファンケーシング３３の吹出筒３３ｂと化粧パネルとしても機能する底面板１４の空気吹出口１４ｂとの間を吹出ガイド筒５０でつながらせ、底面板１４にはさらに空気吸込口１４ａを設けたものである。
【０００６】
この天井埋込型空気調和機１００Ａは、シロッコファン３０のファンモータ３１が回転すると、空気吸込口１４ａから背面板１２の内側の導風路Ｓ１を経由して第２熱交換器２０Ｂに空気を吸い込む他に、底面板１４とドレンパン４０の間の導風路Ｓ２と前面板１１の内側の導風路Ｓ３を経由して第１熱交換器２０Ａにも空気を吸い込む。
【０００７】
このようにしてシロッコファン３０に向かって吸い込まれる空気は第１熱交換器２０Ａ及び第２熱交換器２０Ｂにおいて冷媒と熱交換されるので、熱交換容量を増大させることができる。また、空気吸込口１４ａが１個で済む。
【先行技術文献】
【特許文献】
【０００８】
【特許文献１】特開２０００−２１３７６７号公報
【発明の概要】
【発明が解決しようとする課題】
【０００９】
ところで、図２で説明した天井埋込型空気調和機１００Ａでは、第２熱交換器２０Ｂに吸い込まれる空気量を十分に確保するためには、導風路Ｓ１を拡大すればよい。このための方策として、ファンユニット３０と第２熱交換器２０Ｂを第１熱交換器２０Ａの方向に移動させることと、筐体１０の背面板１２を第２熱交換器２０Ｂから遠ざける方向（図２において右側）に移動させることが考えられる。
【００１０】
しかし、前者の方策によればファンユニット３０のシロッコファン３０のファンケーシング３３が第１熱交換器２０Ａに接触するおそれが生じる。また、後者の方策によれば筐体１０の前後方向のサイズが大型化する。
【００１１】
本発明の目的は、シロッコファンのファンケーシングが第１熱交換器に接触するおそれがなく、且つ筐体の前後方向サイズを大きくすることもなく、第２熱交換器に吸い込まれる空気量を増大させることができる天井埋込型空気調和機を提供することである。
【課題を解決するための手段】
【００１２】
上述した課題を解決するために請求項１にかかる発明は、前面板、背面板、天面板、空気吸込口及び空気吹出口を有する底面板、左側面板、及び右側面板を有する箱型の筐体と、前記天面板の下面の前記前面板の側に取り付けられる第１熱交換器と、前記天面板の下面の前記背面板の側に取り付けられる第２熱交換器と、吹出筒を有し、前記第１熱交換器と前記第２熱交換器の間に配置され前記空気吸込口から前記第１熱交換器及び前記第２熱交換器を経由して吸い込んだ空気を前記吹出筒から吹き出すシロッコファンを有するファンユニットと、前記第１熱交換器及び前記第２熱交換器で生じた露を集めるドレンパンと、前記シロッコファンの前記吹出筒から吹き出される空気を前記前面板の前方の下方にガイドするよう前記吹出筒と前記空気吹出口をつなぐ吹出ガイド筒とを備え、前記シロッコファンは、ファンモータと、該ファンモータの回転軸に固着された羽根車と、該羽根車を囲み外周面の下面に前記吹出筒が形成されたファンケーシングとを有し、前記ファンケーシングは、前記外周面の前記第１熱交換器と対面する側に、平面部が形成されていることを特徴とする。
請求項２にかかる発明は、請求項１に記載の天井埋込型空気調和機において、前記第１熱交換器が前記天面板と前記底面板に直交する姿勢で配置され、前記ファンケーシングの前記平面部は、前記天面板に直交するように形成されていることを特徴とする。
【発明の効果】
【００１３】
本発明によれば、シロッコファンのファンケーシングが第１熱交換器に接触するおそれがなく、筐体の前後方向サイズを大きくすることもなく、第２熱交換器と背面板の間の導風路の吸込面積を大きくすることができ、第２熱交換器に吸い込まれる空気量を増大させることができる。
【図面の簡単な説明】
【００１４】
【図１】本発明の実施例の天井埋込型空気調和機の縦断面図である。
【図２】従来の天井埋込型空気調和機の縦断面図である。
【発明を実施するための形態】
【００１５】
以下、本発明の実施例の天井埋込型空気調和機１００を説明する。天井埋込型空気調和機１００は、図１に示すように、室内の天井２００の裏側に設置される。この天井埋込型空気調和機１００は、筐体１０で全体が囲まれている。筐体１０は、前面板１１、背面板１２、天面板１３、空気吸込口１４ａ及び空気吹出口１４ｂを有する底面板１４、図１の紙面奥側に設けられる図示しない左側面板、及び図１の紙面手前側に設けられる図示しない右側面板を有する箱型である。底面板１４の下面は室内に露出するのでその下面には化粧板として必要な図示しないデザインが施されている。
【００１６】
天面板１３の下面１３ａの前面板１１の側に、天面板１３に垂直な姿勢で平板形状の第１熱交換器２０Ａが取り付けられている。また、天面板１３の下面１３ａの背面板１２の側に、同様に天面板１３に垂直な姿勢で平板形状の第２熱交換器２０Ｂが取り付けられている。そして、第１熱交換器２０Ａと第２熱交換器２０Ｂの間にシロッコファン３０が配置されている。
【００１７】
このシロッコファン３０は、ファンモータ３１と、ファンモータ３１の回転軸３１ａに固着された羽根車３２と、側面に羽根車３２に通じる吸込口３３ａが形成され下面に羽根車３２の外周面に対面する吹出筒３３ｂが形成されたファンケーシング３３を有する。
【００１８】
第１熱交換器２０Ａ及び第２熱交換器２０Ｂの下には、それら第１熱交換器２０Ａ及び第２熱交換器３０Ｂで生じた露を集めるドレンパン４０が配置されている。
【００１９】
前記したシロッコファン３０の吹出筒３３ｂには、底面板１４の空気吹出開口１４ｂに挿入される吹出ガイド筒５０の上端開口５１がつながっている。この吹出ガイド筒５０は、上端開口５１と下端開口５２の間の導風路Ｓ４が下方向の前方にかけて湾曲した形状に形成され、下端開口５２の開口面５２ａが前面板１１の下面の前方を向くよう配置されている。また、この吹出ガイド筒５０は、ドレンパン４０の吹出開口４１と底面板１４の空気吹出１４ｂを貫通し、その吹出ガイド筒５０の下端開口５２が実質的な空気吹出口となる。底面板１４の空気吸込口１４ａは、空気吹出開口１４ｂと背面板１２との間に設けられている。
【００２０】
この天井埋込型空気調和機１００は、シロッコファン３０のファンモータ３１が回転すると、空気吸込口１４ａから第２熱交換器２０Ｂと背面板１２の間の導風路Ｓ１を経由して第２熱交換器２０Ｂに空気を吸い込む他に、底面板１４とドレンパン４０の間の導風路Ｓ２と前面板１１と第１熱交換器２０Ａの間の導風路Ｓ３を経由して第１熱交換器２０Ａに空気を吸い込む。そして、第１熱交換器２０Ａ及び第２熱交換器２０Ｂにおいて冷媒と熱交換されてからシロッコファン３０に吸い込まれる空気は、ファンケーシング３３の吹出筒３３ｂから吹出ガイド筒５０の導風路Ｓ４を経由して前面板１１の下方前方に吹き出される。
【００２１】
さて、本実施例では、ファンケーシング３３の外周面３３ｃのうちの第１熱交換器２０Ａと対面する側に、その第１熱交換器２０Ａの内側２０Ａ１に平行に平面部３３ｃ１が形成されている。このため、ファンモータ３１の回転軸３１ａから平面部３３ｃ１までの距離は、カットされる以前の点線で示す外周３３ｃ２までの距離よりも短くなる。
【００２２】
このため、平面部３３ｃ１と点線で示す外周面３３ｃ２の間の距離Ｌ１だけ、シロッコファン３０の全体を第１熱交換器２０Ａの側に寄せることができるので、回転軸３１ａと第１熱交換器２０Ａの間の距離Ｌ２が短くなる。したがって、第２熱交換器２０Ｂも同様の距離Ｌ１だけ第１熱交換器２０Ｂの側に寄せることができる。以上から回転軸３１ａと第２熱交換器２０Ｂの間の距離Ｌ３を変更させることなく、その第２熱交換器２０Ｂと背面板１３の間の距離Ｌ４を長くすることができ、導風路Ｓ１を拡大できる。このため、空気吸込口１４ａから導風路Ｓ１に導入する空気吸込量を増大させて、第２熱交換器２０Ｂに取り込まれる空気量の増大を図ることができる。
【００２３】
また、シロッコファン３０の羽根車３２は、図１の矢印ａで示す方向に回転するので、ファンケーシング３３内は、平面部３３ｃ１側が低圧側となり吹出筒３３ｂが高圧側となる。したがって、平面部３３ｃ１によってファンケーシング３３の外周面３３ｃの曲面が不連続となっていても、その平面部３３ｃ１が吹出口３３ｂから吹き出される空気の風速に大きな影響を与えることはない。
【００２４】
なお、以上説明した実施例では、第１熱交換器２０Ａが天面板１３に垂直な姿勢で配置されている場合について説明したが、第１熱交換器２０Ａが左右いずれかの方向に傾斜して配置されている場合は、ファンケーシング３３の平面部３３ｃ１は、その第１熱交換器２０Ａの内側２０Ａ１の傾斜した面に平行な形状に形成すれば、同様に第１熱交換器２０Ａとファンユニット３０の間の距離を縮めることができる。また、ファンケーシング３３の平面部３３ｃ１は、第１熱交換器２０Ａの内側２０Ａ１に当接しなければ、その内側２０Ａ１に平行でなくてもよい。
【符号の説明】
【００２５】
１００：天井埋込型空気調和機、２００：天井
１０：筐体、１１：前面板、１２：背面板、１３：天面板、１４：底面板、１４ａ：空気吸込口、１４ｂ：空気吹出開口
２０Ａ：第１熱交換器、２０Ａ１：内側、２０Ｂ：第２熱交換器
３０：シロッコファン、３１：ファンモータ、３２：羽根車、３３：ファンケーシング、３３ａ：吸込口、３３ｂ：吹出筒、３３ｃ：外周面、３３ｃ１：カットされた平面部
４０：ドレンパン、４１：吹出開口
５０：吹出ガイド筒、５１：上端開口、５２：下端開口
【図１】
2019203629.tif 000003
【図２】
2019203629.tif 000004